(57)【要約】【課題】開口量の調整を容易かつ確実に行うことができ、調整後の開口量を一定に保つことができる園芸用結束機を提供する。【解決手段】被結束物を挿入するための開口部Ｃを備え、ハンドルを握り込み操作したときに、前記開口部Ｃが閉じて被結束物を結束するようにした園芸用結束機１０であって、前記園芸用結束機１０に着脱可能な規制部品４１を備え、前記規制部品４１を前記園芸用結束機１０に取り付けたときに、前記規制部品４１が干渉することで前記開口部Ｃの開口量が規制されるようにした。【選択図】図５
2018162067.tif 000002
【特許請求の範囲】
【請求項１】
被結束物を挿入するための開口部を備え、ハンドルを握り込み操作したときに、前記開口部が閉じて被結束物を結束するようにした園芸用結束機であって、
前記園芸用結束機に着脱可能な規制部品を備え、
前記規制部品を前記園芸用結束機に取り付けたときに、前記規制部品が干渉することで前記開口部の開口量が規制されることを特徴とする、園芸用結束機。
【請求項２】
前記規制部品は、前記園芸用結束機に対して挿抜可能な棒状部材であることを特徴とする、請求項１記載の園芸用結束機。
【請求項３】
前記規制部品は、直径の異なる段付形状で形成されることを特徴とする、請求項２記載の園芸用結束機。
【請求項４】
前記ハンドルに対して着脱可能なカバー材を備え、
前記規制部品は、前記カバー材の内側で前記園芸用結束機に取り付けられ、前記カバー材によって着脱方向への移動が制限されることを特徴とする、請求項１〜３のいずれか１項に記載の園芸用結束機。
【請求項５】
前記規制部品の取り付け位置を複数設け、前記規制部品の取り付け位置によって前記開口部の開口量を調整可能としたことを特徴とする、請求項１〜４のいずれか１項に記載の園芸用結束機。
【発明の詳細な説明】
【技術分野】
【０００１】
この発明は、農作物栽培において誘引結束作業に使用する園芸用結束機に関する。
【背景技術】
【０００２】
従来、農作物を栽培する際の誘引結束作業に園芸用結束機が用いられている。具体的には、例えば、胡瓜、葡萄、トマト等の農作物栽培において、植物の蔓や茎を支柱やネットなどに結束するために園芸用結束機が用いられている。
【０００３】
この種の園芸用結束機は、先端部からテープを引き出し可能なメインハンドルと、メインハンドルに対して回動可能なクリンチャアームと、を備えている。そして、園芸用結束機の操作ハンドルを軽く握り込むと、クリンチャアームがメインハンドルに対して閉じ方向に回動し、クリンチャアーム先端のテープ把持装置がメインハンドルの先端部から引き出されたテープを把持する。この状態でハンドルの握り込みを解除すると、クリンチャアームがメインハンドルに対して開き方向に回動し、テープが引き出される。テープを引き出してクリンチャアームとメインハンドルとの間にテープが張られた状態にしたら、この引き出したテープに農作物及び支柱を押し付けて、農作物及び支柱をクリンチャアームとメインハンドルとの間に挿入する。この状態で再びハンドルを握り込むと、クリンチャアームがメインハンドルに対して閉じ方向に回動し、テープループが形成される。さらにハンドルを握り込むと、テープループの両端がステープルにより綴じられるとともに、テープループの端部がカッターにより切断され、結束が完了する。
【０００４】
しかし、従来の園芸用結束機では、クリンチャアームの先端とメインハンドルの先端とで形成される開口の大きさが一定であるため、被結束物の結束径が小さい場合には、開口部が必要以上に大きく開いていることになる。よって、ハンドルを握り込む操作量が余分に必要になるので、作業効率が低下していた。そして、作業効率を低下させないためには、開口量の異なる複数の園芸用結束機を被結束物の結束径に応じて使い分ける必要があった。
【０００５】
こうした問題点を解決する方法として、特許文献１には、ネジによってアームの開度を調節可能にした構成が開示されている。
【先行技術文献】
【特許文献】
【０００６】
【特許文献１】特開平６−１８３４１２号公報
【発明の概要】
【発明が解決しようとする課題】
【０００７】
しかしながら、特許文献１記載の構成は、ネジによって間口調整を行っているため、使用中の振動などによりネジが緩んでしまい、使用中に開口量が変化してしまうおそれがあった。
【０００８】
そこで、本発明は、開口量の調整を容易かつ確実に行うことができ、調整後の開口量を一定に保つことができる園芸用結束機を提供することを課題とする。
【課題を解決するための手段】
【０００９】
本発明は、上記した課題を解決するためになされたものであり、以下を特徴とする。
【００１０】
請求項１記載の発明は、被結束物を挿入するための開口部を備え、ハンドルを握り込み操作したときに、前記開口部が閉じて被結束物を結束するようにした園芸用結束機であって、前記園芸用結束機に着脱可能な規制部品を備え、前記規制部品を前記園芸用結束機に取り付けたときに、前記規制部品が干渉することで前記開口部の開口量が規制されることを特徴とする。
【００１１】
請求項２に記載の発明は、上記した請求項１に記載の発明の特徴点に加え、前記規制部品は、前記園芸用結束機に対して挿抜可能な棒状部材であることを特徴とする。
【００１２】
請求項３に記載の発明は、上記した請求項２に記載の発明の特徴点に加え、前記規制部品は、直径の異なる段付形状で形成されることを特徴とする。
【００１３】
請求項４に記載の発明は、上記した請求項１〜３のいずれかに記載の発明の特徴点に加え、前記ハンドルに対して着脱可能なカバー材を備え、前記規制部品は、前記カバー材の内側で前記園芸用結束機に取り付けられ、前記カバー材によって着脱方向への移動が制限されることを特徴とする。
【００１４】
請求項５に記載の発明は、上記した請求項１〜４のいずれかに記載の発明の特徴点に加え、前記規制部品の取り付け位置を複数設け、前記規制部品の取り付け位置によって前記開口部の開口量を調整可能としたことを特徴とする。
【発明の効果】
【００１５】
請求項１に記載の発明は上記の通りであり、園芸用結束機に着脱可能な規制部品を備え、規制部品を園芸用結束機に取り付けたときに、規制部品が干渉することで開口部の開口量が規制される。このような構成によれば、規制部品を着脱するだけで開口量が調節できるので、開口量の調整を容易かつ確実に行うことができる。また、使用中の振動などにより開口量が変化することもないので、調整後の開口量を一定に保つことができる。
【００１６】
また、請求項２に記載の発明は上記の通りであり、規制部品は、園芸用結束機に対して挿抜可能な棒状部材である。このような構成によれば、既存の構造を大きく変化させることなく、安価な部品の追加だけで開口量の調整を行うことができる。
【００１７】
また、請求項３に記載の発明は上記の通りであり、前記規制部品は、直径の異なる段付形状で形成されるため、径の太さによって開口量の調整を行うことができる。
【００１８】
また、請求項４に記載の発明は上記の通りであり、ハンドルに対して着脱可能なカバー材を備え、規制部品は、カバー材の内側で園芸用結束機に取り付けられ、カバー材によって着脱方向への移動が制限される。このような構成によれば、取り付けた規制部品の脱落を防止するために新たな構造を必要としないので、安価に開口量の調整構造を設けることができる。
【００１９】
また、請求項５に記載の発明は上記の通りであり、規制部品の取り付け位置を複数設け、規制部品の取り付け位置によって開口部の開口量を調整可能とした。このような構成によれば、規制部品の取り付け位置を変更するだけで容易に開口量の調整を行うことができる。
【図面の簡単な説明】
【００２０】
【図１】園芸用結束機の側面図である。
【図２】カバー材の一部を省略した園芸用結束機の側面図であって、開口規制なしで開口した状態の図である。
【図３】カバー材の一部を省略した園芸用結束機の側面図であって、開口部を閉じた状態の図である。
【図４】カバー材の一部を省略した園芸用結束機の側面図であって、開口規制ありで開口した状態の図である。
【図５】（ａ）カバー材の一部を省略した園芸用結束機の斜視図、（ｂ）Ａ１部拡大図である。
【図６】規制部品の着脱を説明する図であって、（ａ）カバー材の一部を省略した園芸用結束機の斜視図、（ｂ）Ａ２部拡大図である。
【図７】変形例１に係る図であって、（ａ）カバー材の一部を省略した園芸用結束機の斜視図、（ｂ）Ａ３部拡大図である。
【図８】変形例２に係る図であって、（ａ）メインハンドルや操作ハンドルの一部を省略した園芸用結束機の斜視図、（ｂ）Ａ４部拡大図である。
【発明を実施するための形態】
【００２１】
本発明の実施形態について、図を参照しながら説明する。
【００２２】
本実施形態に係る園芸用結束機１０は、農作物栽培において誘引結束作業に使用されるものであり、図１〜３に示すように、直線的に形成された細長のメインハンドル１１と、メインハンドル１１に対して回動可能に取り付けられたクリンチャアーム３０と、クリンチャアーム３０に対して回動可能に取り付けられた操作ハンドル５０と、を備えている。クリンチャアーム３０は、図２に示すように、引張バネ２５によって常時付勢されており、通常時においてはメインハンドル１１に対して開いた状態となっている。このため、メインハンドル１１の先端部１１ａとクリンチャアーム３０の先端部３０ａとの間には、被結束物を挿入するための開口部Ｃが設けられている。この状態から操作ハンドル５０とメインハンドル１１とを握り込むことで、図３に示すように、クリンチャアーム３０がメインハンドル１１に対して閉じ方向に回動し、開口部Ｃが閉じられて被結束物が結束されるようになっている。
【００２３】
被結束物を結束するときには、まずハンドルを握り込んでクリンチャアーム３０をメインハンドル１１に対して閉じ方向に回動させる。これにより、クリンチャアーム３０の先端部３０ａでテープを把持する把持動作が実行される。その後、ハンドルの握り込みを解除してクリンチャアーム３０をメインハンドル１１に対して開き方向に回動させると、テープを把持した状態でクリンチャアーム３０の先端部３０ａとメインハンドル１１の先端部１１ａとが互いに離れていき、クリンチャアーム３０とメインハンドル１１との間にテープが張られた状態となる。この状態で張られたテープの外側から苗木や枝などの被結束物を入れ込み、再びハンドルを握り込んでクリンチャアーム３０をメインハンドル１１に対して閉じ方向に回動させる。これにより、被結束物を結束するテープループの両端がステープルで結着され、テープが切断される。このように、１回目の握り込み動作では把持動作が実行され、２回目の握り込み動作では結束動作が実行される。そして、この把持動作と結束動作とを交互に実行することで、被結束物を結束可能となっている。なお、本実施形態においては、テープループの両端を結着する結着手段としてステープルを使用しているが、これに限らず、接着や溶着によってテープループの両端を結着するようにしてもよい。
【００２４】
メインハンドル１１は、図１等に示すように、直線的に形成された棒状の部材であり、長手方向に沿ってテープやステープルを配置できるように形成されている。このメインハンドル１１には、ステープルマガジン１２、テープガイド１６、テープマガジン２０などが取り付けられている。
【００２５】
ステープルマガジン１２は、ステープルを収容するための長尺部材である。このステープルマガジン１２は、図１等に示すように、メインハンドル１１の長手方向に沿って配置されており、内部にステープルを収容可能となっている。ステープルマガジン１２には、コ字形に形成された複数のステープルを接着剤で接合したものが収容されている。ステープルマガジン１２に収容されたステープルは、プッシャユニットによって先端方向へと押し付けられている。このステープルマガジン１２は、後端側に設けられた軸を中心にメインハンドル１１に対して揺動可能に取り付けられている。
【００２６】
上記したステープルマガジン１２の先端下方には、先頭のステープルを打ち出すためのステープルドライバが配置されている。このステープルドライバは、ステープルマガジン１２の先端付近に臨むようにメインハンドル１１の先端部１１ａに固定されたプレートである。このステープルドライバは、ステープルを１つだけ打ち出せるようにステープルの幅とほぼ同じ幅で形成されている。クリンチャアーム３０がメインハンドル１１に対して完全に閉じた状態まで回動すると、ステープルマガジン１２がステープルドライバの方向に押し付けられることにより、ステープルドライバがステープルマガジン１２内に進入してステープルマガジン１２内の先頭のステープルを打ち出すようになっている。打ち出されたステープルは、後述するクリンチャ３３にクリンチされてテープを抱き込むように両脚が屈折し、これにより重ね合わせたテープの端部を結着するようになっている。
【００２７】
テープマガジン２０は、被結束物を結束するテープを収容するためのものであり、図１等に示すように、メインハンドル１１の後端部に連設されている。このテープマガジン２０は、リール状に巻回されたテープを収容可能であり、テープを出し入れするために開閉可能な蓋を備えている。このテープマガジン２０に収容されたテープは、メインハンドル１１に沿って、メインハンドル１１の先端部１１ａまで引き出される。メインハンドル１１の先端部１１ａまで引き出されたテープは、後述するテープガイド１６によって端部が保持される。
【００２８】
テープガイド１６は、図５に示すように、メインハンドル１１の先端部１１ａに配置されている。このテープガイド１６に保持されたテープの先端は、クリンチャアーム３０に臨むようになっている。このようにテープガイド１６に保持されたテープの先端は、後述するクリンチャアーム３０のテープ把持装置３５によって把持されて必要量が引き出される。
【００２９】
クリンチャアーム３０は、図１等に示すように、後端部付近に設けられた回転軸３１によってメインハンドル１１に対して回動可能に取り付けられた部材である。このクリンチャアーム３０は、メインハンドル１１との間にＣ字形の開口部Ｃを形成できるように、先端部３０ａの方向へ曲線的に延びるアーム部３２を備えている。また、このクリンチャアーム３０には、クリンチャ３３やテープ把持装置３５が取り付けられている。
【００３０】
クリンチャ３３は、前述したステープルドライバの先端に対向するように、クリンチャアーム３０の先端部３０ａに固定されている。ステープルドライバによってステープルが打ち出されたときに、打ち出されたステープルの両脚がクリンチャ３３によってクリンチされて内側に折り曲げられるようになっている。クリンチャ３３がステープルの両脚を内側に折り曲げることで、テープが綴じられて結着されるようになっている。
【００３１】
テープ把持装置３５は、クリンチャアーム３０の先端部３０ａに取り付けられ、メインハンドル１１の先端部１１ａから引き出されたテープの端部を把持可能な装置である。このテープ把持装置３５は、ハンドルが一定量まで握り込まれたときに作動して、テープガイド１６に保持されたテープの端部を把持するように構成されている。
【００３２】
操作ハンドル５０は、図２に示すように、園芸用結束機１０の本体に固定された基部材５１と、基部材５１に着脱可能なカバー材５５と、を備える。
【００３３】
基部材５１は、メインハンドル１１やクリンチャアーム３０に直接作用する金属製の部品である。この基部材５１は、図２及び図３に示すように、回動支点５１ａを軸に回動可能にクリンチャアーム３０に取り付けられている。そしてこの回動支点５１ａから見て一方にメインハンドル１１に係合するリンク部５２を備えるとともに、回動支点５１ａから見て他方にレバー操作部５５ｃを備える。
【００３４】
リンク部５２は、メインハンドル１１に係合して梃子の作用点となる部分である。このリンク部５２の先端にはフック５２ｃが形成されている。このフック５２ｃは、メインハンドル１１のローラ状係合部１４に係合可能となっている。図２に示すように、このフック５２ｃが最奥部でローラ状係合部１４に係合することで、クリンチャアーム３０がメインハンドル１１に対して所定の角度で開いた状態が維持されるようになっている。すなわち、このフック５２ｃが最奥部でローラ状係合部１４に係合した状態が、開口部Ｃの最大開口状態である。
【００３５】
この状態から、操作ハンドル５０とメインハンドル１１とを握り締めると、図３に示すように、リンク部５２の前面に形成された摺動面５２ａの上をローラ状係合部１４が摺動する。このように摺動面５２ａがローラ状係合部１４に沿って滑ることにより、クリンチャアーム３０がメインハンドル１１に対して閉じ方向に回動する。なお、ローラ状係合部１４を係合させる摺動面５２ａは、ステープルを打ち出す際の操作荷重を低減するために傾斜が段階的に変化している。すなわち、把持動作を行うときの摺動面５２ａの傾斜よりも、結束動作を行うときの傾斜を大きくすることで、同じ操作荷重でも結束動作を行うときにより大きな力を得ることができるようにしている。このようにすることで、大きな力を必要とする結束動作であっても、軽い操作荷重で操作できるようにしている。このように摺動面５２ａの傾斜が変化するため、摺動面５２ａの傾斜が変化する部分には突部５２ｂが形成されている。
【００３６】
カバー材５５は、ハンドル（基部材５１）に対して着脱可能な部材である。このカバー材５５は、図１等に示すように、基部材５１を覆うように取り付けられている。このカバー材５５は、フックカバー部５５ａと、レバー操作部５５ｃと、を備える。
【００３７】
フックカバー部５５ａは、上記したリンク部５２などを覆う部位である。
【００３８】
また、レバー操作部５５ｃは、操作ハンドル５０を操作するときに作業者が握り込む部位である。このレバー操作部５５ｃがメインハンドル１１へと接近する方向へ握り込み操作されると、基部材５１が回動支点５１ａを中心に回動し、リンク部５２がメインハンドル１１に作用することで、メインハンドル１１とクリンチャアーム３０とが互いに閉じ方向に回動するようになっている。
【００３９】
ところで、本実施形態に係る園芸用結束機１０は、開口部Ｃの開口量を調節するための開口量調節手段４０を備えている。開口量調節手段４０によって開口部Ｃの開口量を調節することで、被結束物の結束径が小さい場合には、開口部Ｃの最大開口量を小さく設定することでハンドルを握り込む操作量が小さくなり、作業効率を向上させることができる。また、手の小さい作業者でも、開口部Ｃの最大開口量を小さく設定することでハンドルを握りやすくすることができる。この開口量調節手段４０は、図４及び図５に示すように、園芸用結束機１０に着脱可能な規制部品４１を備える。
【００４０】
本実施形態に係る規制部品４１は、図６に示すように、園芸用結束機１０に対して挿抜可能な棒状部材である。この規制部品４１は、図５に示すように、園芸用結束機１０に取り付けたときに、操作ハンドル５０に干渉して操作ハンドル５０の移動を規制するようになっている。
【００４１】
具体的には、図５及び図６に示すように、メインハンドル１１を構成する板金に規制部品４１を取り付けるための取付孔４２が設けられている。この取付孔４２に規制部品４１を挿入することで、規制部品４１は、メインハンドル１１に対して、ハンドルの回転軸３１と平行に取り付けられる。園芸用結束機１０に取り付けた規制部品４１の両端は、取付孔４２から突出する。一方、フック５２ｃの先端には、取付孔４２から突出した規制部品４１の両端付近に係合する受部４３が設けられている。この受部４３は、規制部品４１を安定して受けるように窪み形状となっている。
【００４２】
規制部品４１を取り付けた状態で開口部Ｃを閉じ状態から開いていくと、図５（ｂ）に示すように、フック５２ｃとローラ状係合部１４とが係合する前に、受部４３と規制部品４１とが係合し、それ以上は開口部Ｃが開かなくなる。このように、規制部品４１が操作ハンドル５０に干渉することで、開口部Ｃの開口量が規制されるようになっている。
【００４３】
規制部品４１を取り外した場合には、図２に示すように、フック５２ｃとローラ状係合部１４とが係合するまで開口部Ｃが開くので、規制部品４１を取り付けた場合と比較して開口部Ｃの開口量が大きくなる。言い換えると、規制部品４１を取り付けることで、開口部Ｃの開口量を小さくすることができる。
【００４４】
なお、本実施形態に係る規制部品４１は丸棒状であるので、取り付けが容易である反面、取付孔４２に挿入しただけでは脱落してしまうおそれがある。このため、本実施形態においては、カバー材５５の内側で規制部品４１を園芸用結束機１０に取り付けている。このようにすることで、カバー材５５によって規制部品４１の脱落が防止される。
【００４５】
本実施形態において規制部品４１を取り付けるときには、操作ハンドル５０を上方に持ち上げて、フック５２ｃをローラ状係合部１４から外し、クリンチャアーム３０がメインハンドル１１に対してフリーに回動できる状態とする。この状態でクリンチャアーム３０をメインハンドル１１に対して大きく回動させると、取付孔４２が露出するので、規制部品４１を取付孔４２に挿入することができる。その後、フック５２ｃをローラ状係合部１４に引っ掛ければ、規制部品４１の両端部がカバー材５５に臨むことになる。これにより、規制部品４１の軸方向への移動がカバー材５５によって阻止されるので、規制部品４１の脱落が防止される。
【００４６】
なお、これとは別に、カバー材５５を操作ハンドル５０から取り外し、カバー材５５を取り外した状態で規制部品４１を取付孔４２に対して着脱できるようにしてもよい。
【００４７】
また、図５（ｂ）に示すように、Ｅリングなどの留め具４４で規制部品４１を固定するようにしてもよい。このようにすれば、規制部品４１の脱落を更に防止することができ、また、フック５２ｃをローラ状係合部１４から外したときや、カバー材５５を取り外したときに、規制部品４１が脱落しないので、組み付け性が向上する。
【００４８】
なお、上記した実施形態においては、メインハンドル１１に対して規制部品４１を取り付けるようにしたが、これに限らず、別の箇所に規制部品４１を取り付けてもよい。
【００４９】
例えば、図７に示すように、クリンチャアーム３０を構成する板金に規制部品４１を取り付けるための取付孔４２を設けてもよい。そして、この取付孔４２に規制部品４１を挿入して取り付けるようにしてもよい。そして、操作ハンドル５０に、この規制部品４１に係合する受部４３を設けてもよい。この場合、規制部品４１は、クリンチャアーム３０に対して、ハンドルの回転軸３１と平行に取り付けられる。また、規制部品４１が操作ハンドル５０の受部４３に係合することで、開口部Ｃの開口量を規制することができる。
【００５０】
また、上記した実施形態においては、規制部品４１に係合する受部４３を操作ハンドル５０に設けたが、これに限らず、別の箇所に受部４３を取り付けてもよい。
【００５１】
例えば、図８に示すように、クリンチャアーム３０に規制部品４１に係合する受部４３を設けてもよい。この図８に示す例では、円弧状の長孔で受部４３を形成し、この長孔を貫通するようにメインハンドル１１に対して規制部品４１を取り付けるようにしている。このように、受部４３の位置や形状は適宜設定可能である。
【００５２】
なお、上記した実施形態においては、開口量の調節を２段階にしているが、これに限らず、規制部品４１の取り付け位置を複数設ければ、開口量の調節を３段階以上にすることも可能である。例えば、図６（ｂ）に示すような取付孔４２を、受部４３の移動方向に沿って複数箇所に設けてもよい。このようにすれば、どの取付孔４２に規制部品４１を取り付けるかによって、開口部Ｃの開口量を複数段階で調節することができる。
【００５３】
また、規制部品４１を取り替えることで、開口部Ｃの開口量を複数段階に調節できるようにしてもよい。具体的には、棒状部材の端部が細い段付ピンや、端部が太い段付ピンなどの複数の規制部品４１を設け、どの規制部品４１を取り付けるかによって、開口部Ｃの開口量を複数段階で調節できるようにしてもよい。
【００５４】
また、開口量の調整を無段階で調整可能としてもよい。例えば、棒状の規制部品４１の端部に、受部４３と係合するカム形状（規制部品４１の軸に対して偏心した形状）の規制部を形成し、規制部材４１を軸周りに回転させるようにすれば、開口部Ｃの開口量を無段階で調整可能な構造とすることができる。
【００５５】
以上説明したように、本実施形態によれば、園芸用結束機１０に着脱可能な規制部品４１を備え、規制部品４１を園芸用結束機１０に取り付けたときに、規制部品４１が干渉することで開口部Ｃの開口量が規制される。このような構成によれば、規制部品４１を着脱するだけで開口量が調節できるので、開口量の調整を容易かつ確実に行うことができる。また、使用中の振動などにより開口量が変化することもないので、調整後の開口量を一定に保つことができる。
【００５６】
また、規制部品４１は、園芸用結束機１０に対して挿抜可能な棒状部材である。このような構成によれば、既存の構造を大きく変化させることなく、安価な部品の追加だけで開口量の調整を行うことができる。
【００５７】
また、規制部品４１を直径の異なる段付形状とすれば、径の太さによって開口量の調整を行うことができる。
【００５８】
また、ハンドルに対して着脱可能なカバー材５５を備え、規制部品４１は、カバー材５５の内側で園芸用結束機１０に取り付けられ、カバー材５５によって着脱方向への移動が制限される。このような構成によれば、取り付けた規制部品４１の脱落を防止するために新たな構造を必要としないので、安価に開口量の調整構造を設けることができる。
【００５９】
また、規制部品４１の取り付け位置を複数設け、規制部品４１の取り付け位置によって開口部Ｃの開口量を調整可能とした。このような構成によれば、規制部品４１の取り付け位置を変更するだけで容易に開口量の調整を行うことができる。
【符号の説明】
【００６０】
１０  園芸用結束機
１１  メインハンドル
１１ａ  先端部
１２  ステープルマガジン
１４  ローラ状係合部
１６  テープガイド
２０  テープマガジン
２５  引張バネ
３０  クリンチャアーム
３０ａ  先端部
３１  回転軸
３２  アーム部
３３  クリンチャ
３５  テープ把持装置
４０  開口量調節手段
４１  規制部品
４２  取付孔
４３  受部
４４  留め具
５０  操作ハンドル
５１  基部材
５１ａ  回動支点
５２  リンク部
５２ａ  摺動面
５２ｂ  突部
５２ｃ  フック
５５  カバー材
５５ａ  フックカバー部
５５ｃ  レバー操作部
Ｃ  開口部
【図１】
2018162067.tif 000003
【図２】
2018162067.tif 000004
【図３】
2018162067.tif 000005
【図４】
2018162067.tif 000006
【図５】
2018162067.tif 000007
【図６】
2018162067.tif 000008
【図７】
2018162067.tif 000009
【図８】
2018162067.tif 000010